(57)【要約】【課題】簡単な構成で、吸気フィルターの着脱動作が容易で、使い勝手の良い電気掃除機を提供する。【解決手段】塵埃を集塵する集塵室（図示せず）と、電動送風機１６を収納する電動送風機室３５と、前記集塵室と前記電動送風機室３５とを区画する隔壁２３と、前記隔壁２３に着脱自在に設けられる防塵用の吸気フィルター３２とを備え、前記吸気フィルター３２に持運び用でかつ折り曲げ可能な凸部３４を設けたもので、部品点数を増やすことなく簡単な構成で、吸気フィルター３２の着脱動作が容易となり、使い勝手が向上する。【選択図】図４
2012249986.tif 000002
【特許請求の範囲】
【請求項１】
塵埃を集塵する集塵室と、電動送風機を収納する電動送風機室と、前記集塵室と前記電動送風機室とを区画する隔壁と、前記隔壁に着脱自在に設けられる防塵用の吸気フィルターとを備え、前記吸気フィルターに持運び用でかつ折り曲げ可能な凸部を設けた電気掃除機。
【発明の詳細な説明】
【技術分野】
【０００１】
本発明は、電気掃除機に関するもので、特に、防塵用の吸気フィルターを着脱可能に設けた電気掃除機に関するものである。
【背景技術】
【０００２】
従来のこの種の電気掃除機として、図５及び図６に示されるようなものがあった（例えば、特許文献１参照）。図５は、上記特許文献１に記載された従来の電気掃除機の全体側面断面図、図６は、同電気掃除機の部分拡大断面図である。
【０００３】
図５及び６において、従来の電気掃除機の掃除機本体１内は、隔壁２を挟んで電動送風機室３と集塵室４とに別けられ、電動送風機室３には、電動送風機５及び、電源コ−ド６を巻き取るコ−ド巻き取り装置７が備えられている。
【０００４】
電動送風機５の空気流入口付近の構成で、略円筒状の吸気格子８は、電動送風機５の前方で、サポートゴム９と電動送風機５に挟まれ固定されており、サポートゴム９は、隔壁２と電動送風機５に挟まれ固定されている。吸気格子８の前部には、電動送風機５内への塵埃の侵入を防止する為の吸気フィルター１０が配設されている。
【０００５】
吸気フィルター１０には、スリット１０ａが設けられており、吸気格子８と一体に設けられた支持リブ１１に、吸気フィルター１０のスリット１０ａが入り込み吸気フィルター１０を係止させている。また、吸気フィルター１０の外周は、吸気格子８と一体に設けられた外周リブ１２に覆われ係止されているのが一般的であった。
【先行技術文献】
【特許文献】
【０００６】
【特許文献１】特開２００２−１３６４５８号公報
【発明の概要】
【発明が解決しようとする課題】
【０００７】
しかしながら、上記特許文献１に記載されたような従来の電気掃除機の構成では、吸気フィルター１０を、吸気格子８に保持する動作は、容易であるが、吸気フィルター１０を、吸気格子８から外す時は、外周リブ１２が吸気フィルター１０の外周を覆うと共に、吸気フィルター１０に持つ部位がないため、吸気フィルター１０の脱動作は困難で、組み立て性が悪いという課題があった。
【０００８】
本発明は、上記従来の課題を解決するものであって、吸気フィルターを保持する為に部品点数を増やすことなく、簡単な構成で、吸気フィルターの着脱動作が容易で、使い勝手が良い電気掃除機を提供することを目的とする。
【課題を解決するための手段】
【０００９】
上記従来の課題を解決するために、本発明の電気掃除機は、塵埃を集塵する集塵室と、電動送風機を収納する電動送風機室と、前記集塵室と前記電動送風機室とを区画する隔壁と、前記隔壁に着脱自在に設けられる防塵用の吸気フィルターとを備え、前記吸気フィルターに持運び用でかつ折り曲げ可能な凸部を設けたもので、部品点数を増やすことなく簡単な構成で、吸気フィルターの着脱動作が容易となり、使い勝手が向上する。
【発明の効果】
【００１０】
本発明の電気掃除機は、吸気フィルターを保持する為に部品点数を増やすことなく、簡単な構成で吸気フィルターの着脱動作を容易にし、使い勝手が良い。
【図面の簡単な説明】
【００１１】
【図１】本発明の実施の形態１における電気掃除機の側面断面図
【図２】同電気掃除機の部分斜視図
【図３】図１のＡ−Ａ矢視図
【図４】図１のＢ−Ｂ断面図
【図５】従来の電気掃除機の全体側面断面図
【図６】同電気掃除機の部分拡大断面図
【発明を実施するための形態】
【００１２】
第１の発明は、塵埃を集塵する集塵室と、電動送風機を収納する電動送風機室と、前記集塵室と前記電動送風機室とを区画する隔壁と、前記隔壁に着脱自在に設けられる防塵用の吸気フィルターとを備え、前記吸気フィルターに持運び用でかつ折り曲げ可能な凸部を設けたもので、部品点数を増やすことなく簡単な構成で、吸気フィルターの着脱動作が容易となり、使い勝手が向上する。
【００１３】
以下、本発明の実施の形態について、図面を参照しながら説明する。なお、この実施の形態によって本発明が限定されるものではない。
【００１４】
（実施の形態１）
図１は、本発明の実施の形態１における電気掃除機の側面断面図、図２は、同電気掃除機の部分斜視図、図３は、図１のＡ−Ａ矢視図、図４は、図１のＢ−Ｂ断面図である。
【００１５】
図１〜図４において、本実施の形態における電機掃除機の掃除機本体１５は、吸引力を発生する電動送風機１６を内蔵し、電動送風機１６の前方には、弾性材料より構成される前部支持体１７が配設され、また、電動送風機１６の後方には、弾性材料より構成される後部支持体１８が配設されており、前部支持体１７及び、後部支持体１８は、掃除機本体１５に設けられた壁１９を介して挟持されている。
【００１６】
電動送風機１６を収容する本体ケースは、本体ケース右２０と本体ケース左２１の２分割構成であり、電動送風機１６の前方には、本体ケース右２０と本体ケース左２１にて形成される隔壁２３が位置し、この隔壁２３には、風路孔２２が設けられている。また、前記隔壁２３は、集塵室２４と電動送風機室３５を区画形成しており、集塵室２４の前方には、接続口２５が設けられている。
【００１７】
集塵室２４は、塵埃を集塵するもので、空気入り口２６を設けた略円筒状に形成したダストボックス２７が配設されており、電動送風機１６の動作により吸われる空気は、接続口２５の吸気口２８から流入し、それと連通する空気入り口２６に至り、空気に含まれた塵埃は、ダストボックス２７に集塵され、きれいになった空気は、風路孔２２を有する隔壁２３を通り、電動送風機１６に流入し、次に、電動送風機１６からの排気風となり、掃除機本体１５に設けられた排気口２９より外部に放出される。
【００１８】
本体ケース右２０、本体ケース左２１の風路孔２２を有する隔壁２３の合わせ部３０、つまり金型のパ−ティングライン上には、金型上、雄型と雌型が無理抜きにならないようＬ字状のリブ３１が隔壁２３に設けられている。なお、前記Ｌ字状のリブ３１は、折り曲げ部を有し略Ｌ字状であれば良い。
【００１９】
風路孔２２を有する隔壁２３の前方には、電動送風機１６内への塵埃侵入を防止する為
の吸気フィルター３２が着脱自在に配設さている。吸気フィルター３２には、スリット３２ａが設けられており、Ｌ字状のリブ３１に、吸気フィルター３２のスリット３２ａが入り込み吸気フィルター３２が係止されるようになっている。
【００２０】
また、図２、図３に示すように、風路孔２２を有する隔壁２３に、吸気フィルター３２の外周を覆い支持するガイドリブ３３が一体的に設けられている。また。吸気フィルター３２の外周には、持運び用で折り曲げ可能な凸部３４が設けられている。
【００２１】
本実施の形態における電気掃除機は、以上のように構成されているので、吸気フィルター３２を隔壁２３に装着するときは、図３、４に示すように、吸気フィルター３２のスリット３２ａに、Ｌ字状のリブ３１を通して係止させる。
【００２２】
また、本実施の形態では、吸気フィルター３２の外周に形成された凸部３４が、ガイドリブ３３の内面から折り曲げられており、且つ、ガイドリブ３３から突出しているので、吸気フィルター３２を隔壁２３から外す時は、この突出した凸部３４を引っ張るだけで良い。このように本実施の形態における電気掃除機は、別部品を設けることなく、廉価に吸気フィルター３２の脱動作が出来、使い勝手が向上する。
【産業上の利用可能性】
【００２３】
以上のように、本発明に係る電気掃除機は、防塵用の吸気フィルターを備えた電気掃除機の使い勝手の向上を実現することができるもので、家庭用、業務用を問わず各種電気掃除機に適用できる。
【符号の説明】
【００２４】
１６  電動送風機
２３  隔壁
２４  集塵室
３２  吸気フィルター
３４  凸部
３５  電動送風機室
【図１】
2012249986.tif 000003
【図２】
2012249986.tif 000004
【図３】
2012249986.tif 000005
【図４】
2012249986.tif 000006
【図５】
2012249986.tif 000007
【図６】
2012249986.tif 000008